(57)【要約】【課題】屋外排気方向を自由に施工可能で、運転モードの切換えや設置、保守作業が簡単な浴室乾燥機を提供する。【解決手段】浴室内に開口し吸込口と吹出口を有した蓋体１８と、排気方向が互いに異なる複数の排気口１１、１２を設けたケーシング１０と、ケーシング１０内に設け吸込口より空気を吸い込んで吹出口と排気口１１、１２に向けて吐出する送風用ファン１４と、送風用ファン１４を回転するモータ１３と、ケーシング１０の風路内に設けたヒータ１７と、ケーシング１０内に吹出口と排気口１１、１２に通ずる風路１６の開口部を調節する回動自在なダンパ１５を備えた本体であって、ダンパ１５の回動位置に応じて送風用ファン１４の風路が吹出口と開口した排気口１１、１２の少なくともいずれか一方に連通するように構成した。【選択図】　図１
2004003722.tif 000002
【特許請求の範囲】
【請求項１】
浴室内に開口し吸込口と吹出口を有した蓋体と、排気方向が互いに異なる複数の排気口を設けたケーシングと、前記ケーシング内に設けられて前記吸込口より空気を吸い込んで前記吹出口と前記排気口に向けて吐出する送風用ファンと、前記送風用ファンを回転するモータと、前記ケーシングの風路内に設けられて通電することで発熱するヒータと、前記ケーシング内に設けられて前記吹出口と前記排気口に通ずる風路の開口部を調節する回動自在なダンパを備えた本体であって、前記ダンパの回動位置に応じて前記送風用ファンの風路が前記吹出口と開口した前記排気口の少なくともいずれか一方に連通するように構成したことを特徴とする浴室乾燥機。
【請求項２】
浴室内に開口し吸込口と吹出口を有した蓋体と、排気方向が互いに異なる複数の排気口を設けたケーシングと、前記ケーシング内に設けられて前記吸込口より空気を吸い込んで前記吹出口と前記排気口に向けて吐出する送風用ファンと、前記送風用ファンを回転するモータと、前記ケーシングの風路内に設けられて通電することで発熱するヒータと、前記ケーシング内に設けられて前記吹出口と前記排気口に通ずる風路の開口部を調節する回動自在なダンパを備えた本体であって、前記ダンパの風路が前記浴室内への吹出し風路と浴室外の排気風路に分岐され、前記ダンパは前記吹出し風路を全開し、前記排気風路の一部を閉塞する第１の位置と、前記吹出し風路を開放し、前記排気風路を閉塞する第２の位置と、前記吹出し風路を閉塞し前記排気風路を開放する第３の位置に回動するようにしたことを特徴とする浴室乾燥機。
【請求項３】
ダンパは曲面を有する壁面と、その両端部に形成された一対の壁面から構成され、前記壁面の曲面に対応した回転軸を中心に回動するようにケーシングに取り付けたことを特徴とする請求項１または２に記載の浴室乾燥機。
【請求項４】
ダンパの曲面を有する壁面の片側または両側に延長部を有し、前記延長部の端部に丸みを形成したことを特徴とする請求項３に記載の浴室乾燥機。
【請求項５】
ヒータは１つまたは複数のヒータブロックを着脱可能に配して構成したことを特徴とする請求項１または２のいずれかに記載の浴室乾燥機。
【請求項６】
ヒータは１つまたは複数のヒータブロックを両側からはさんで固定する１対の支持具と、前記支持具で支持されたヒータブロックを本体に固定するブロック固定具と、ヒータ全面を保護する保護枠とで構成したことを特徴とする請求項５に記載の浴室乾燥機。
【請求項７】
ヒータはブロック固定具のヒータブロックが存在しない部分を遮蔽するヒータ遮蔽板を設け、このヒータ遮蔽板の端部に丸みを形成したことを特徴とする請求項５または６のいずれかに記載の浴室乾燥機。
【請求項８】
送風用ファンの下流から吹出口に連通する風路をガイドするなだらかな傾斜としたことを特徴とする請求項１または２のいずれかに記載の浴室乾燥機。
【請求項９】
吹出口の内側に熱源としてヒータの代わりに温水コイルを設けたことを特徴とする請求項１または２のいずれかに記載の浴室乾燥機。
【請求項１０】
蓋体の吹出口に正方形の吹出しグリルを有し、前記吹出しグリルは蓋体に９０度きざみで取付可能に構成したことを特徴とする請求項１または２のいずれかに記載の浴室乾燥機。
【請求項１１】
蓋体は浴室内に開口した吸込口を覆う吸込みグリルを有し、前記吸込みグリルは蓋体より下方に取り外し可能に構成したことを特徴とする請求項１または２のいずれかに記載の浴室乾燥機。
【請求項１２】
送風用ファン、ダンパおよび前記送風用ファンの下流風路が形成された本体と、浴室内に開口した吸込口と吹出口が形成された蓋体とを有し、前記本体に前記蓋体をはめ込んだとき、前記送風用ファンの吸込み部分と吹出し部分の風路とを分離する隔壁を形成したことを特徴とする請求項１または２のいずれかに記載の浴室乾燥機。
【発明の詳細な説明】
【０００１】
【発明の属する技術分野】
本発明は、浴室や、脱衣室、洗面所、あるいはトイレなどのいわゆるサニタリーゾーンを利用して洗濯物を乾燥したり、暖房や換気などを行う浴室乾燥機に関する。
【０００２】
なお、本明細書記載の全てにおいて、浴室、脱衣室、洗面所、あるいはトイレなどのサニタリーゾーンを一括して浴室と総称する。
【０００３】
したがって、浴室乾燥機とは浴室はもちろん、脱衣室、洗面所、トイレなどのサニタリーゾーンで使用される全ての乾燥機を意味する。
【０００４】
【従来の技術】
洗濯物を乾燥させる場合、通常屋外に干して天日で乾燥させるが、雨天など天候が悪い場合は屋外で乾燥させることができないため、屋内で自然乾燥させたり、電気やガスによる衣類乾燥機で乾燥させたり、浴室乾燥機を設置して浴室で乾燥させることが行われている。
【０００５】
浴室乾燥機は、本体部を浴室の天井裏に埋め込んだり外壁面に設置して、浴室内に温風を吹き込むとともに、湿った空気を外部に放出して衣類を乾燥させている。また、この温風を利用して冬季に浴室内を暖房することも行われている。
【０００６】
暖房熱源として温水コイル方式を用いた浴室乾燥機は、特開平７−１７１２９９号公報に示される形態のものが提案されている。この浴室乾燥機は、浴室の天井に取り付け、浴室内に開口した吸込口と吹出口および屋外に面した屋外への排気口を有し、吸込口の部分に送風機とこの送風機の吹き出し空気を熱交換器を介して前記吹出口に連通する浴室側の風路および前記排気口に連通する換気風路に分配するダンパーと、このダンパーを駆動するダンパーモーターと、この駆動モーターおよび前記送風機を制御する制御部とを備え、前記ダンパーを浴室側の風路または換気風路の閉鎖と、浴室側の風路と換気風路の両方に同時に送風できるように制御したものである。
【０００７】
また、暖房熱源としてヒータ方式を用いた浴室乾燥機は、特開平８−１８９７０７号公報に示される形態のものが提案されている。
【０００８】
【発明が解決しようとする課題】
このような従来の浴室乾燥機は浴室の天井裏設置専用の構成をしており、浴室や天井裏の構造によっては屋外への排気口方向が屋外へ向けられない場合があり、排気ダクトを天井裏で長い距離這わせなければならないという課題があった。
【０００９】
また、ヒータや空気フィルタの取り付けや交換作業が天井裏や高所作業で行われるのが通例であり、作業性に課題があった。
【００１０】
本発明はこのような課題を解決するもので、浴室や天井裏の構造によらず短い排気ダクトにより屋外排気方向を自由に施工可能であり、運転モードの切換えが簡単な浴室乾燥機を提供することを目的とする。
【００１１】
また、ヒータの組み立ておよび取り付け作業が簡単であるとともに、組立時にヒータ能力を自由に設定、変更することができ、過剰設備や熱量補足などを起こすことがない浴室乾燥機を提供することを目的とする。
【００１２】
また、送風用ファンからの風の吹出しによる騒音を低減し、風漏れを防止することができる浴室乾燥機を提供することを目的とする。
【００１３】
また、暖房熱源としてヒータ方式および温水コイル方式のいずれかを自由に選択することができる浴室乾燥機を提供することを目的とする。
【００１４】
また、吹出しグリルからの風の吹出し方向を自由に変更させることができる浴室乾燥機を提供することを目的とする。
【００１５】
また、吹出し風向の制御およびヒータや空気フィルタの取り付けや交換作業における高所作業や天井裏での作業を極力減らすことが可能な浴室乾燥機を提供することを目的とする。
【００１６】
【課題を解決するための手段】
請求項１記載の本発明の浴室乾燥機は、浴室内に開口し吸込口と吹出口を有した蓋体と、排気方向が互いに異なる複数の排気口を設けたケーシングと、前記ケーシング内に設けられて前記吸込口より空気を吸い込んで前記吹出口と前記排気口に向けて吐出する送風用ファンと、前記送風用ファンを回転するモータと、前記ケーシングの風路内に設けられて通電することで発熱するヒータと、前記ケーシング内に設けられて前記吹出口と前記排気口に通ずる風路の開口部を調節する回動自在なダンパを備えた本体であって、前記ダンパの回動位置に応じて前記送風用ファンの風路が前記吹出口と開口した前記排気口の少なくともいずれか一方に連通するように構成したことを特徴とする。
【００１７】
請求項２記載の本発明の浴室乾燥機は、浴室内に開口し吸込口と吹出口を有した蓋体と、排気方向が互いに異なる複数の排気口を設けたケーシングと、前記ケーシング内に設けられて前記吸込口より空気を吸い込んで前記吹出口と前記排気口に向けて吐出する送風用ファンと、前記送風用ファンを回転するモータと、前記ケーシングの風路内に設けられて通電することで発熱するヒータと、前記ケーシング内に設けられて前記吹出口と前記排気口に通ずる風路の開口部を調節する回動自在なダンパを備えた本体であって、前記ダンパの風路が前記浴室内への吹出し風路と浴室外の排気風路に分岐され、前記ダンパは前記吹出し風路を全開し、前記排気風路の一部を閉塞する第１の位置と、前記吹出し風路を開放し、前記排気風路を閉塞する第２の位置と、前記吹出し風路を閉塞し前記排気風路を開放する第３の位置に回動するようにしたことを特徴とする。
【００１８】
請求項３記載の本発明の浴室乾燥機は、ダンパは曲面を有する壁面と、その両端部に形成された一対の壁面から構成され、前記壁面の曲面に対応した回転軸を中心に回動するようにケーシングに取り付けたことを特徴とする。
【００１９】
請求項４記載の本発明の浴室乾燥機は、ダンパの曲面を有する壁面の片側または両側に延長部を有し、前記延長部の端部に丸みを形成したことを特徴とする。
【００２０】
請求項５記載の本発明の浴室乾燥機は、ヒータは１つまたは複数のヒータブロックを着脱可能に配して構成したことを特徴とする。
【００２１】
請求項６記載の本発明の浴室乾燥機は、ヒータは１つまたは複数のヒータブロックを両側からはさんで固定する１対の支持具と、前記支持具で支持されたヒータブロックを本体に固定するブロック固定具と、ヒータ全面を保護する保護枠とで構成したことを特徴とする。
【００２２】
請求項７記載の本発明の浴室乾燥機は、ヒータはブロック固定具のヒータブロックが存在しない部分を遮蔽するヒータ遮蔽板を設け、このヒータ遮蔽板の端部に丸みを形成したことを特徴とする。
【００２３】
請求項８記載の本発明の浴室乾燥機は、送風用ファンの下流から吹出口に連通する風路をガイドするなだらかな傾斜としたことを特徴とする。
【００２４】
請求項９記載の本発明の浴室乾燥機は、吹出口の内側に熱源としてヒータの代わりに温水コイルを設けたことを特徴とする。
【００２５】
請求項１０記載の本発明の浴室乾燥機は、蓋体の吹出口に正方形の吹出しグリルを有し、前記吹出しグリルは蓋体に９０度きざみで取付可能に構成したことを特徴とする。
【００２６】
請求項１１記載の本発明の浴室乾燥機は、蓋体は浴室内に開口した吸込口を覆う吸込みグリルを有し、前記吸込みグリルは蓋体より下方に取り外し可能に構成したことを特徴とする。
【００２７】
請求項１２記載の本発明の浴室乾燥機は、送風用ファン、ダンパおよび前記送風用ファンの下流風路が形成された本体と、浴室内に開口した吸込口と吹出口が形成された蓋体とを有し、前記本体に前記蓋体をはめ込んだとき、前記送風用ファンの吸込み部分と吹出し部分の風路とを分離する隔壁を形成したことを特徴とする。
【００２８】
【発明の実施の形態】
本発明の第１の実施の形態による浴室乾燥機は、ダンパの回動位置に応じて送風用ファンの風路が吹出口と開口した排気口の少なくともいずれか一方に連通するように構成したので、浴室や天井裏の構造によらず排気口取付位置を自由に選べるため短い排気ダクトにより屋外排気方向を自由に施工することが可能であり、また、運転モードの切換えも簡単に行うことができる。
【００２９】
本発明の第２の実施の形態による浴室乾燥機は、吹出口と排気口に通ずる風路を回動自在なダンパの位置により浴室内への吹出し風路と、浴室外への排気風路に分岐し、運転モードを調節することができる。前記吹出し風路を全開し、前記排気風路の一部を閉塞する第１の位置では、前記送風用ファンにより吸い込まれた空気は前記ヒータで加熱され吹出口より吐き出される。同時に浴室内の湿った空気の一部は排気口より排気されるため浴室内の空気は乾燥し乾燥モードとなる。
【００３０】
また、前記吹出し風路を開放し、前記排気風路を閉塞する第２の位置では、前記送風用ファンにより吸い込まれた空気は排気風路が閉塞されているため全ての空気がヒータにより加熱され吹出口から浴室内へ吐き出され、暖房モードとなる。
【００３１】
また、吹出し風路を閉塞し排気風路を開放する第３の位置では、送風用ファンにより吸い込まれた空気は吹出し風路が閉塞されているため全ての空気が排気される換気モードとなる。
【００３２】
本発明の第３の実施の形態による浴室乾燥機は、ダンパの壁面の曲面に対応した回転軸が設けられているので、ダンパの構成が簡単であるとともに、ダンパの回動制御も簡単に行うことができる。
【００３３】
本発明の第４の実施の形態による浴室乾燥機は、延長部の端部に設けたＲ形状の丸みにより、送風用ファンからの風がダンパのエッジに当るときに発生する騒音を低減することができる。
【００３４】
本発明の第５の実施の形態による浴室乾燥機は、要求されるヒータ能力に応じて設置するヒータの数を増減することにより、ヒータ能力を自由に設定、変更することができる。
【００３５】
本発明の第６の実施の形態による浴室乾燥機は、ヒータは１つまたは複数のヒータブロックを両側からはさんで固定する１対の支持具と、前記支持具で支持されたヒータブロックを本体に固定するブロック固定具と、ヒータ全面を保護する保護枠とで構成するようにしたので、ヒータの組み立ておよび取り付け作業が簡単である。
【００３６】
本発明の第７の実施の形態による浴室乾燥機は、ヒータはブロック固定具のヒータブロックが存在しない部分を遮蔽するヒータ遮蔽板を設け、前記ヒータ遮蔽板の端部にＲ形状の丸みを形成することにより、気流が剥離するのを防ぎ発生する騒音を低減することができる。
【００３７】
本発明の第８の実施の形態による浴室乾燥機は、送風用ファンの下流から吹出口に連通する風路をガイドするなだらかな傾斜を形成することにより、送風用ファンからの風がヒータ方向へ滑らかに送風される。
【００３８】
本発明の第９の実施の形態による浴室乾燥機は、暖房熱源としてヒータ方式および温水コイル方式のいずれかを自由に選択して設置することができる。
【００３９】
本発明の第１０の実施の形態による浴室乾燥機は、蓋体の吹出口に正方形の吹出しグリルを有し、前記吹出しグリルは蓋体に９０度きざみで取付可能に構成することにより、浴室側から吹出しグリルを取り外して着脱位置を変えることにより吹出しグリルからの風の吹出し方向を自由に変更させることができる。
【００４０】
本発明の第１１の実施の形態による浴室乾燥機は、吸込みグリルを蓋体より下方に取り外し可能としたので、空気フィルタの取り付けや交換作業などにおける高所作業を容易にすることができる。
【００４１】
本発明の第１２の実施の形態による浴室乾燥機は、本体に蓋体をはめ込んだときに送風用ファンの吸込み部分と吹出し部分の風路とを分離する隔壁を形成するようにしたので、浴室乾燥機の内部で風路側の風が直接送風用ファン側に回り込んだり吸い込んだりする、いわゆる風のショートサーキットを防止することができる。
【００４２】
【実施例】
以下、本発明の一実施例について、図面に基づいて説明する。
【００４３】
図１は同実施例による浴室乾燥機の全体構成を示す斜視図で、内部構造を見やすくするために上下を逆にしたものである。本体を構成するケーシング１０の一つの側面に排気口１１が、それと異なる他の側面に排気口１２が形成されて排気方向が互いに異なる複数の排気口が形成されている。ケーシング１０の内部には、モータ１３で回転する送風用ファン１４が設けられており、送風用ファン１４からの風はダンパ１５により風向を制御されて排気口１１、排気口１２または浴室への風路１６からヒータ１７、吹出しグリル２０を介して浴室内へ送風される。ヒータ１７は通電することで発熱する。ダンパ１５による送風制御については後述する。
【００４４】
また、ケーシング１０の浴室に面した側には蓋体１８が設けられ、蓋体１８には浴室からの吸込口となる吸込みグリル１９および吹出口となる吹出しグリル２０が形成されている。
【００４５】
また、ケーシング１０内には制御部（図示せず）が設けられ、モータ１３、ダンパモータ（図示せず）、ヒータ１７のオン・オフ等の制御を行っている。さらに、送風用ファン１４と風路との間には、隔壁７２が設けられている。
【００４６】
次に図２および図３を用いて、ダンパ１５による送風制御について説明する。
【００４７】
図２は本発明による浴室乾燥機の動作を説明するための一部断面側面図である。図２（ａ）は乾燥モード、図２（ｂ）は暖房モード、図２（ｃ）は換気モード、図２（ｄ）は（ａ）と同様な効果が得られる乾燥モードである。
【００４８】
各図において、浴室乾燥機は浴室（図示せず）の天井裏に設置されており、図の下方側が浴室である。また、排気口１１、排気口１２のうち、排気口１１が使用され、使用しない排気口１２は遮蔽板で遮蔽されて、排気口１１に排気ダクト９０を取り付け、排気が排気口１１のみから行われる場合を例に説明する。
【００４９】
また、ダンパ１５は、図３に示すように、曲面を有する壁面３１と、その両端部に形成された一対の壁面３２、３３から構成され、壁面３２、壁面３３の曲面に対応した回転軸３５が設けられ、この回転軸３５と連動したダンパモータ（図示せず）により、回転軸３５を中心に回動し、任意の位置で固定されるようにケーシング１０内に取り付けられる。また、壁面３１の両端は延長され、この延長端部には丸み（Ｒ形状）３４が形成されている。
【００５０】
図２（ａ）において、ダンパ１５を遮蔽板２２の先端を超えて上方に回転させた第１の位置で固定すると、浴室から吸込みグリル１９を介して吸入された空気は、送風用ファン１４で送風され、上部外壁と遮蔽板２３間に形成される空間から排気ダクト９０に向かって風路矢印２６で示す風路と、遮蔽板２４および遮蔽板２５間の空間からヒータ１７を経て吹出しグリル２０を通る風路矢印２７で示す風路で送風される。
【００５１】
風路矢印２６で示す風路によれば、浴室内の空気が排気ダクト９０から屋外に排気されるので浴室の換気が行われる。一方風路矢印２７で示す風路によれば、送風用ファン１４から送風された空気は吹出しグリル２０を介して浴室内に送風される。このとき、ヒータ１７をオンにすると浴室内に温風が送風されるので、浴室内の乾燥が行われる。ヒータ１７をオフにすれば常温による送風乾燥が行われる。
【００５２】
なお、送風用ファン１４から上部外壁方向に向かう風は、ダンパ１５で遮られるので上部外壁に当たることを防止することができる。
【００５３】
図２（ｂ）のように、ダンパ１５の上端を遮蔽板２２の先端に、下端を遮蔽板２３の先端に合わせた第２の位置で固定すると、曲面を有する壁面３１によって排気ダクト９０方向へ向かう風路が遮断される。したがって、浴室内の空気は送風用ファン１４により吹出しグリル２０から浴室乾燥機内にとりこまれ、風路矢印２８で示すように浴室内に循環される。このとき、ヒータ１７をオンにすると浴室に温風が送風されるので浴室の暖房が行われる。送風のみでよい場合はヒータ１７をオフにしておく。
【００５４】
図２（ｃ）のように、ダンパ１５を下方に回転させてダンパ１５の上端を遮蔽板２４の先端に、下端を遮蔽板２５の先端に合わせた第３の位置で固定すると、ダンパ１５により浴室内へ向かう風路が閉ざされ、送風用ファン１４により浴室内から取り込まれた空気は、送風用ファン１４によりすべて風路矢印２９のように排気ダクト９０へ向かう。したがって浴室の換気が行われる。
【００５５】
図２（ｄ）のように、ダンパ１５が吹出口を一部開放した状態のダンパ１５の別な位置での第４の位置で固定すると、浴室から吸込みグリル１９を介して吸入された空気は、排気ダクト９０に向かって風路矢印２９ｄで示す風路と、遮蔽板２４および遮蔽板２５間の空間からヒータ１７を経て吹出しグリル２０を通る風路矢印２７ｄで示す風路で送風される。
【００５６】
風路矢印２９ｄで示す風路によれば、浴室内の空気が排気口１１から屋外に排気されるので浴室の換気が行われる。一方風路矢印２７ｄで示す風路によれば、送風用ファン１４から送風された空気は吹出しグリル２０を介して浴室内に送風される。このとき、ヒータ１７をオンにすると浴室内に温風が送風されるので、浴室内の乾燥が行われる。ヒータ１７をオフにすれば常温による送風乾燥が行われる。
【００５７】
第４の位置は第１の位置と同様な風路構成となるため、第１の位置と同様な効果を得られる。
【００５８】
以上の説明では、排気口１１が使用されて排気方向が風路矢印２６、２９、２９ｄのように行われる場合について説明したが、天井裏の構造や取り付け位置の制約から排気口１１に排気ダクト９０を取り付けられない場合がある。その場合は、排気方向を排気口１１方向と９０度ずらせた方向に開口している排気口１２を使用する。
【００５９】
この場合は排気口１１を遮蔽板で遮蔽し、排気口１２に排気ダクトを取り付ける。この時、図２（ａ）、図２（ｃ）、図２（ｄ）における屋外への排気は送風方向２６、２９、２９ｄが途中から排気口１２方向へ曲がって排気される。その他の動作は排気口１１が使用された上記の説明と同様である。
【００６０】
図２（ａ）において、排気口１１方向への風路の中にダンパ１５の先端部が存在する。同様に図２（ｂ）、図２（ｄ）において、吹出しグリル２０方向への風路の中にダンパ１５の先端部が存在する。このダンパ１５の先端部に風が当たると騒音が発生する。これを防止するために、ダンパ１５の先端に図３に示すように丸み（Ｒ形状）３４を形成する。この丸み（Ｒ形状）３４により送風用ファン１４から送風される風はダンパ１５の先端部において気流が剥離することなく滑らかに送風され、カルマン渦の影響を少なくすることができるため騒音の発生を低減することができる。
【００６１】
図４は図２（ｂ）の状態におけるヒータ１７方向への風路の詳細を示す斜視図である。排気ダクト９０方向への風路はダンパ１５により遮蔽されており、送風用ファン１４から送風された風はヒータ方向へガイド４１に沿って送風される。ヒータ１７（図示せず）はブロック固定具５２により本体に固定される。
【００６２】
ガイド４１は、送風用ファン１４からの風がヒータ方向へ滑らかに送風されるように、なだらかな傾斜が形成されている。この傾斜によりヒータ部分で発生する風に対する抵抗が低減される。また、ダンパ１５の壁面３２、３３により風のもれを防止し、循環流における風のもれを防止する。
【００６３】
図５（ａ）はヒータ１７の全体構成を示す斜視図である。ヒータ１７は図５（ｂ）に示すヒータブロック５３を１つまたは複数個（図５（ａ）では４個）を用意し、図５（ｃ）に示す一対の支持具５１の穴５１１にヒータブロック５３の両側の突起部５３１、５３２をはめ込んで固定し、図５（ｄ）に示すブロック固定具５２に固定する。ヒータブロック５３が組み込まれたヒータ１７はブロック固定具５２を図４のようにケーシング１０に固定する。ヒータ１７の前面（浴室側）には図５（ｅ）に示す保護枠５４がはめ込まれて、作業時等にヒータ１７に直接接触することを防止する。
【００６４】
ヒータブロック５３は浴室乾燥機に対して要求されるヒータ能力に応じて増減され、組立時に本数を決定する。このため、ブロック固定具５２の大きさは予め想定される暖房能力に必要な本数のヒータブロック５３を収納できる大きさに形成される。たとえば、１本のヒータブロック５３の暖房能力が２畳分であれば、ブロック固定具５２として５本のヒータブロック５３を収納できる自由度を持たせておけば、１０畳までの広さの浴室暖房に対応できるので、実際の浴室が６畳であれば３本のヒータブロック５３をブロック固定具５２に取り付けるようにすればよい。
【００６５】
この場合、ブロック固定具５２のヒータブロック５３を組み込まない部分にはヒータ遮蔽板（図示せず）を設けてヒータ以外の部分を風が通らないようにする。ヒータ遮蔽板の端部（エッジ部分）はダンパ１５の先端に設けた丸みと同様に丸み（Ｒ形状）を形成して、気流が剥離することなく滑らかに送風され、カルマン渦の影響を少なくすることができるため発生する騒音を低減する。
【００６６】
なお、ヒータ１７の代わりに温水コイルを設けるようにすれば温水式の暖房も可能になる。
【００６７】
これにより、メーカは客先の要求に応じて暖房熱源をヒータ方式とするか、温水コイル方式とするかを自由に選択することができる。この場合、ヒータ１７および温水コイルのいずれもが設置可能なように熱源スペースを確保しておく。
【００６８】
図６は吹出しグリル２０の内面図である。吹出しグリル２０は、図１における蓋体１８にはめ込んで取り付けられる。
【００６９】
傾斜のついた複数個の格子をもつ吹出しルーバ６５は、吹出される風の風向を制御する部分で、エアコンのようにスイングしない構成となっている。そのため、吹出しグリル２０からは、暖房モードまたは乾燥モード時に温風を吹出すが、施工業者は浴室乾燥機の取り付け場所によって風向を変えたい場合がある。
【００７０】
また実際の運転時、使用者が風向を変えたいことがしばしばある。そこで本発明においては、吹出しグリル２０を正方形とし、四辺のそれぞれに吹出しグリル取付具６１、６２、６３、６４を設け、蓋体１８に設けられた２つの取付部９１ａ、９１ｂに対して吹出しグリル取付具６１、６２、６３、６４の対角位置にある２つを使用して取り付ける。したがって、吹出しグリル取付具６１、６２で取り付けた場合と、吹出しグリル取付具６３、６４で取り付けた場合では吹出しルーバ６５の方向が９０度ずれた方向になり、風向を互いに９０度ずれた方向に制御することができる。
【００７１】
また、吹出しグリル取付具６１、６２、６３、６４に凸部を設け、取付部９１ａ、９１ｂの凹部（図示せず）に下（浴室側）からのはめ込む形式にすれば、吹出しグリル２０を下方に引くことにより取り外し、上方に押し込むことによりはめ込むことができるので、作業は下方から簡単に行うことができる。
【００７２】
また、吹出しグリル２０の表面に風向マークをつけておけば、取り付け作業時の風向判定を一層簡単に行うことができる。
【００７３】
図７は図１におけるケーシング１０に蓋体１８を取り付けたときの断面図である。ケーシング１０の蓋体１８側において、送風用ファン１４側と風路側とは隔壁７２により分離されている。また、蓋体１８は吸込みグリル１９と吹出しグリル２０の間に隔壁７１が形成されて互いに分離されている。
【００７４】
ケーシング１０に蓋体１８を取り付けたとき、ケーシング１０の隔壁７２と蓋体１８の隔壁７１が連結し、送風用ファン１４側と風路側とはこの隔壁７１、７２によりケーシング１０内で分離される。
【００７５】
したがって、浴室乾燥機の内部で風路側の風が直接送風用ファン側に回り込んだり吸い込んだりするいわゆる風のショートサーキットを防止することができる。
【００７６】
図８は吸込みグリル１９の外面図である。吸込みグリル１９は、図１における蓋体１８にはめ込んで取り付けられる。
【００７７】
吸込みグリル１９には空気中の塵埃などを除去するフィルタが取り付けられている。このフィルタは定期的に洗浄したり交換したりする必要があるので、吸込みグリル１９は簡単に着脱可能であることが好ましい。
【００７８】
したがって、図８のように、吸込みグリル１９の１つの辺にばね状の突出部８３を設け、それと対向する辺に指掛部８１および蓋体１８との吸込みグリル固定具８２を設ける。
【００７９】
浴室乾燥機が天井に据付けられた状態で吸込みグリル１９を外すには、下方から指掛部８１に指を掛けて軽く押しながら下方に引くと、吸込みグリル固定具８２が外れて吸込みグリル１９が突出部８３側を軸にして蓋体１８から外れる。
【００８０】
その後突出部８３側を抜くことにより吸込みグリル１９を蓋体１８から完全に外すことができる。吸込みグリル１９を浴室乾燥機から取り外した状態でフィルタを洗浄、交換して吸込みグリル１９に装てんし、突出部８３側をはめ込んで上方に押込むと、吸込みグリル固定具８２で吸込みグリル１９が浴室乾燥機の蓋体１８に固定され取り付けは終了する。
【００８１】
このように、フィルタの洗浄や交換のための吸込みグリル１９の取り外しおよび取り付け作業が下方から行えるので、作業性が著しく向上する。
【００８２】
以上本発明につき好適な実施例を挙げて種々説明したが、本発明はこの実施例に限定されるものではなく、発明の精神を逸脱しない範囲内で多くの改変を施し得るのはもちろんのことである。
【００８３】
【発明の効果】
以上の説明から明らかなように本発明によれば、天井裏に設置した場合に屋外への排気口方向をいずれの方向にも設定できるので、設置場所や設置工事に制限がなく、屋外への排気ダクトの長さを短くして設置することができる。したがって、施工工事が簡略化される。
【００８４】
また、運転モードの切換えをダンパの回動で簡単に行うことができる。
【００８５】
また、ヒータの組み立ておよび取り付け作業が簡単であるとともに、組立時にヒータ能力を自由に設定、変更することができるので、過剰設備や熱量補足などを起こすことがない。
【００８６】
また、送風用ファンからの風の吹出しによる騒音を低減し、風漏れを防止することができる。
【００８７】
また、暖房熱源としてヒータ方式および温水コイル方式のいずれかを自由に選択することができる。
【００８８】
また、吹出しグリルからの風の吹出し方向を自由に変更させることができる。
【００８９】
また、吹出し風向の制御およびヒータや空気フィルターの取り付けや交換作業を浴室側から行うことができるので、作業性が著しく向上する。
【図面の簡単な説明】
【図１】本発明による浴室乾燥機の全体構成を示す斜視図
【図２】（ａ）本発明による浴室乾燥機の乾燥モードの場合の動作を説明するための一部断面側面図
（ｂ）同暖房モードの場合の動作を説明するための一部断面側面図
（ｃ）同換気モードの場合の動作を説明するための一部断面側面図
（ｄ）同別な位置での（ａ）と同様な効果のある乾燥モードの場合の動作を説明するための一部断面側面図
【図３】本発明による浴室乾燥機のダンパの斜視図
【図４】本発明におけるヒータ方向への風路の詳細を示す斜視図
【図５】（ａ）本発明におけるヒータの構成の内のヒータ全体を示す斜視図
（ｂ）同ヒータブロックの斜視図
（ｃ）同ヒータ支持具の斜視図
（ｄ）同ブロック固定具の斜視図
（ｅ）同保護枠の斜視図
【図６】本発明における吹出しグリルを内側から見た斜視図
【図７】本発明における浴室乾燥機の一部断面側面図
【図８】本発明における吸込みグリルを外側から見た斜視図
【符号の説明】
１０　　ケーシング
１１　　排気口
１２　　排気口
１３　　モータ
１４　　送風用ファン
１５　　ダンパ
１６　　風路
１７　　ヒータ
１８　　蓋体
１９　　吸込みグリル
２０　　吹出しグリル
３１　　曲面を有する壁面
３２　　壁面
３３　　壁面
３４　　丸み（Ｒ形状）
３５　　回転軸
４１　　ガイド
５１　　支持具
５２　　ブロック固定具
５３　　ヒータブロック
５４　　保護枠
７１　　隔壁
７２　　隔壁
９０　　排気ダクト
【図１】
2004003722.tif 000003
【図２】
2004003722.tif 000004
【図３】
2004003722.tif 000005
【図４】
2004003722.tif 000006
【図５】
2004003722.tif 000007
【図６】
2004003722.tif 000008
【図７】
2004003722.tif 000009
【図８】
2004003722.tif 000010